(57)【要約】【課題】上半身を起こす際にも枕が滑り落ち難いリクライニング・ベッド用の枕保持材を提供しようとするもの。【解決手段】寝台面が起伏して上半身が起き上がることができるリクライニング・ベッド２の上端縁に係脱自在の係止部Ｘを有すると共に、枕３を挿脱自在に保持する枕収容部４を有する。上半身が起き上がるようにベッドをリクライニングして傾斜させると通常であれば枕は下方にずれ落ちようとするが、このリクライニング・ベッド用枕保持材はリクライニング・ベッドの上端縁に係脱自在の係止部を有すると共に枕を挿脱自在に保持する枕収容部を有する構成としているので、枕を挿脱自在に保持する枕収容部によって枕の下方への変位を防止することができる。【選択図】        図１
2004209207.tif 000002
【特許請求の範囲】
【請求項１】
寝台面が起伏して上半身が起き上がることができるリクライニング・ベッドの上端縁に係脱自在の係止部を有すると共に、枕を挿脱自在に保持する枕収容部を有することを特徴とするリクライニング・ベッド用枕保持材。
【請求項２】
前記枕収容部の側部に小物類を挿脱自在に収容するポケット部を設けた請求項１記載のリクライニング・ベッド用枕保持材。
【請求項３】
前記ポケット部がティッシュ箱を収容する形状であると共に、ティッシュ抜き取り用切れ目を形成した請求項２記載のリクライニング・ベッド用枕保持材。
【請求項４】
前記枕収容部の上面を構成する生地をシーツと一体的に設けた請求項１乃至３のいずれかに記載のリクライニング・ベッド用枕保持材。
【請求項５】
前記枕収容部は、その上方端が本体生地に縫着された帯状生地に枕を巻き込んで保持するようにした請求項１乃至４のいずれかに記載のリクライニング・ベッド用枕保持材。
【発明の詳細な説明】
【０００１】
【発明の属する技術分野】
この発明は、頭部の起伏が可能なリクライニング・ベッド用の枕保持材に関するものである。
【０００２】
【従来の技術】
従来より、体の具合があまり良くない場合などに頭部の起伏が可能なリクライニング・ベッドが使用されている。
【０００３】
このベッドは、例えば病院において使用され、仰向けに寝ている状態から食事の際などに上半身が起き上がることができるようになっており（例えば、特許文献１参照）、ご老人の介護用のためなどにも使用されている。
【０００４】
しかし、上半身が起き上がるようにリクライニングさせた際に枕がずり落ちてしまうという問題があった。すなわち、ベッド上で半身を起こして食事をする際、頭を時々ベッドに任せて首などの筋肉を休ませたいことがあるが、枕が背中の方へずり落ちているので、頭をベッドに任せようとすると胸を突き出す弓なりのような姿勢となってしまい安楽さが阻害されていた。
【０００５】
【特許文献１】
特開２００１―２０４５８５号公報（図４）
【０００６】
【発明が解決しようとする課題】
そこでこの発明は、上半身を起こす際にも枕が滑り落ち難いリクライニング・ベッド用の枕保持材を提供しようとするものである。
【０００７】
【課題を解決するための手段】
前記課題を解決するためこの発明では次のような技術的手段を講じている。
▲１▼  この発明のリクライニング・ベッド用枕保持材は、寝台面が起伏して上半身が起き上がることができるリクライニング・ベッドの上端縁に係脱自在の係止部を有すると共に、枕を挿脱自在に保持する枕収容部を有することを特徴とする。
【０００８】
上半身が起き上がるようにベッドをリクライニングして傾斜させると通常であれば枕は下方にずれ落ちようとするが、このリクライニング・ベッド用枕保持材はリクライニング・ベッドの上端縁に係脱自在の係止部を有すると共に枕を挿脱自在に保持する枕収容部を有する構成としているので、枕を挿脱自在に保持する枕収容部によって枕の下方への変位を防止することができる。
【０００９】
したがって、ベッド上で半身を起こして食事をしている際に頭を枕に戻して首などの筋肉を休ませたいときも、枕はずれ落ちずに元々横になっていた通りの位置に在るのでそのまま頭を後ろに動かすと楽な姿勢に戻ることができ、体の具合があまり良くないときには特に使い勝手がよく非常に助かるものである。
【００１０】
前記本体生地やこの本体生地に縫合する布地として例えばタオル地や毛布地などを用いることができ、素材として麻、綿、合成繊維その他のシーツに用いられる繊維全般を用いることができる。
【００１１】
なお、前記枕収容部の布地を本体生地に縫合することにより形成すると、面ファスナーやボタンを用いた場合と比較して接合部分の厚みを極力減らすことができ、首筋や背中に対する異物感を減少せしめることができる。
【００１２】
▲２▼  前記枕収容部の側部に小物類を挿脱自在に収容するポケット部を設けてもよい。
【００１３】
このように構成すると、枕収容部の側部のポケット部に薬袋や小銭入れ、体温計等の備品その他の小物類を収容することができ、またポケット部は枕収容部の側部に設けたので必要な物を取り出し易く誠に使い勝手に優れる。このポケット部は、例えば収容部の片側の脇部や両側の脇部に設けることができる。
【００１４】
▲３▼  前記ポケット部がティッシュ箱を収容する形状であると共に、ティッシュ抜き取り用切れ目を形成してもよい。
【００１５】
このように構成すると、食事の際や手が汚れた際、鼻をかむ際などにすぐ枕元からティッシュを抜き取ることができ非常に使い勝手がよい。
【００１６】
▲４▼  前記枕収容部の上面を構成する生地をシーツと一体的に設けてもよい。
【００１７】
このように構成すると、シーツに枕収容機能を付与することができる。このリクライニング・ベッド用枕保持材は通常のシーツのようにリクライニング・ベッドの全体を被うようにしてもよく、特にベッドの寝台面の頭部に対応する上方領域のみを被うようにしてもよい。
【００１８】
ここで、特にベッドの寝台面の頭部に対応する上方領域のみを被うようにシーツを構成すると、クライニング・ベッドの全体を被う通常の大きさのシーツよりもシーツ自体を剥がしたりずらしたりする作業性が格段に高まり、シーツの収容部に枕を保持して更にその位置決めを行う際の上下・左右方向の調整を容易に行うことができる。またこのように構成すると、リクライニング・ベッドの全体を被う通常の大きさのシーツと比較してサイズ・嵩低さなどの面からその洗濯や取替え、交換を容易に行うことができ、その回数を増やすことができ、シーツの衛生面等においても好ましいものとなる。シーツの頭部の領域は、頭髪の汚れや食べ物をこぼしたもの・鼻水などが付着することが多く、また本や新聞を読んだ時の手垢などで汚れやすいのである。
【００１９】
▲５▼  前記枕収容部は、その上方端が本体生地に縫着された帯状生地に枕を巻き込んで保持するようにしてもよい。
【００２０】
このように枕収容部を帯状生地の本体生地への縫着により構成すると簡易な構造とすることができるので、繰り返しの洗濯にも強く耐久性に優れコストを安価とすることができる。
【００２１】
ここで、前記帯状生地に枕を載置してその開放端側を紐部によりベッドのパイプ部等を利用して固定することができ、こうすると紐部の調整の仕方により枕の位置（高さ）を適宜調節することができる。
【００２２】
また、前記帯状生地の両端部を本体生地に縫着して枕収容部を形成することができ、こうすると枕の大きさ等が決まっている場合はそれに合わせた寸法で予め縫製することができ、枕の収容作業の際も位置（高さ）などの調整が簡便となる。
【００２３】
さらに、前記帯状生地の上方端を本体生地に縫着し枕の上側から前記帯状生地で巻き込んで保持するようにすると、簡易な形状としながらも枕を摩擦により保持することができる。
【００２４】
【発明の実施の形態】
以下、この発明の実施の形態を図面を参照して説明する。
【００２５】
（実施形態１）
図１乃至図３に示すように、この実施形態のリクライニング・ベッド用枕保持材１はシーツ（敷布）と一体的に形成しており、寝台面が起伏して上半身が起き上がることができるリクライニング・ベッド２（図２参照）の表面の全体を被うようなサイズ（図１参照）としている。このリクライニング・ベッド用枕保持材１は、前記リクライニング・ベッドの上端縁に係脱自在の係止部Ｘ（図２、図３参照）を有する。この実施形態では、ベッド用枕保持材１の上方を長めに形成してベッド２の上端縁に係止部Ｘを巻き込むようにしている。
【００２６】
そして、枕３を挿脱自在に保持する枕収容部４（枕３がずれ落ちないように保持する空間を有する）を、パイル地の布地５をパイル地の本体生地６に対して略コの字状の縫い目７（図１、図３参照）で縫合することにより形成している。このシーツ１の全体を構成する本体生地６や前記本体生地６に縫合する布地５として、タオル地を用いた。
【００２７】
また、前記枕収容部４の側部に備品その他の小物類８を挿脱自在に収容するポケット部９（図２参照）を設けている。具体的には、前記枕３の収容部４の両側の脇部には、小物類８を収容するポケット部９を収容部４の部分から延在する同じ布地５を縫合することにより設けている。なおこのポケット部９は、収容部４の片側の脇部のみに設けてもよい。
【００２８】
次に、この実施形態のリクライニング・ベッド用枕保持材の使用状態を説明する。
【００２９】
このリクライニング・ベッド用枕保持材１（シーツ）では、上半身が起き上がるようにベッド２をリクライニングして傾斜させると通常であれば枕３は下方にずれ落ちようとするが、布地５を本体生地６に縫合することにより形成された枕収容部４によって枕３の下方への変位を防止することができ、上半身を起こす際にも枕３が滑り落ち難いという利点がある。
【００３０】
したがって、ベッド２上で半身を起こして食事をしている際（首等は食器の方に乗り出している）に首などの筋肉が疲れてきて少し休みたいときも、枕３はずれ落ちずに元々の位置にそのまま在るので頭を後ろに倒すとすぐに楽な仰向けの姿勢に戻ることができ、首を休めながら食事をリラックスして摂ることができ、体の具合があまり良くないとき（例えば病気の際やご老人）には使い勝手がよく非常に助かるものである。特に長期入院したり、長期療養したりする際に極めて役に立つものである。
【００３１】
また前記枕収容部４は、布地５を本体生地６に縫合することにより形成されているので、洗濯の際も１枚もののシーツ単位として取り扱うことができ非常に洗い易い。
【００３２】
更に、前記枕収容部４の両脇部に備品その他の小物類８を収容するポケット部９を設けているので、このポケット部９に体温計１０や薬袋１１、小銭入れ（図示せず）などの備品その他の小物類８を収容することができる。また前記ポケット部９は枕収容部４の脇部に設けたので、取り出し易く使い勝手に優れる。
【００３３】
またこのシーツ１はベッドの全面に対してゆとりを持った大きさとしており、上下・左右方向の位置調整を十分に納得がいくまで行ってから巻き込むことができ、使用者が丁度気持ちが良いように枕収容部４の位置決めを行うことができる。
【００３４】
（実施形態２）
次に、実施形態２を実施形態１との相違点を中心に説明する。
【００３５】
図４及び図５に示すように、この実施形態のリクライニング・ベッド用枕保持材１は、リクライニング・ベッド２の寝台面に対し、特に頭部に対応する上方領域のみを被うようなサイズとしている。この場合、このシーツ１の下面に全体を覆う他の薄地のシーツ１２を敷いておく。また、ベッド用枕保持材１の上方を長めに形成してベッド２の上端縁に係止部Ｘを巻き込むようにしている。
【００３６】
このような構成であり、実施形態１のようなクライニング・ベッドの全体を被う通常のサイズのシーツよりも、ベッドに対してシーツ自体を剥がしたりずらしたりする作業性が格段に高いので、上下・左右方向の位置調整を容易に行うことができ、使用者が丁度気持ちが良いように枕収容部４の位置決めを行うことができる。
【００３７】
また、実施形態１のような通常の大きさのシーツと比較してそのサイズの面からベッドから剥がし易く、その嵩低さの面からその洗濯や取替え・交換をより容易により多量に行うことができ、この回数を増やして短い周期で洗濯等を行うことができ、シーツの衛生面等においても好ましいものとなる。
【００３８】
（実施形態３）
次に、実施形態３のリクライニング・ベッド用枕保持材を説明する。
【００３９】
図６乃至図９に示すように、この実施形態のリクライニング・ベッド用枕保持材１は、寝台面が起伏して上半身が起き上がることができるリクライニング・ベッド２（図７参照）の上端縁に係脱自在の係止部Ｘを有すると共に、枕３を挿脱自在に保持する枕収容部４を有する。前記係止部Ｘは、リクライニング・ベッド２の上端縁に係脱自在に引っ掛けるようにしている。
【００４０】
また、前記枕収容部４の上面を構成する生地をシーツと一体的に設けており、シーツに枕収容機能を付与している。具体的には、前記枕収容部４の布地をシーツ本体生地６に縫合することにより形成しており、面ファスナーやボタンを用いた場合と比較して接合部分の厚みを極力減らすことができ、首筋や背中に対する異物感を減少せしめることができる。前記本体生地６やこの本体生地に縫合する布地として、例えばタオル地や麻、綿その他のシーツに用いられる繊維全般を用いることができる。
【００４１】
前記枕収容部４の左右の側部に、小物類を挿脱自在に収容するポケット部９を設けている。前記ポケット部９は小物類としてティッシュ箱１３を収容する形状とし、ティッシュ抜き取り用切れ目１４を形成している。なおこのポケット部９には、薬袋や小銭入れ、体温計等の備品その他の小物類（実施形態１参照）を収容してもよい。
【００４２】
次に、この実施形態のリクライニング・ベッド用枕保持材の使用状態を説明する。
【００４３】
上半身が起き上がるようにベッド２をリクライニングして傾斜させると通常であれば枕３は下方にずれ落ちようとするが、このリクライニング・ベッド用枕保持材１はリクライニング・ベッド２の上端縁に係脱自在の係止部Ｘを有すると共に枕３を挿脱自在に保持する枕収容部４を有する構成としているので、枕３を挿脱自在に保持する枕収容部４によって枕３の下方への変位を防止することができる。
【００４４】
したがって、ベッド上で半身を起こして食事をしている際に頭を枕３に戻して首などの筋肉を休ませたいときも、枕３はずれ落ちずに元々横になっていた通りの位置に在るのでそのまま頭を後ろに動かすと楽な姿勢に戻ることができ、体の具合があまり良くないときには特に使い勝手がよく非常に助かるものである。
【００４５】
また、前記枕収容部４の側部に小物類８を挿脱自在に収容するポケット部９を設けており、ポケット部９は枕収容部の側部に設けたので必要な物を取り出し易く誠に使い勝手に優れる。このポケット部９は、例えば収容部の片側の脇部や両側の脇部に設けることができる。
【００４６】
さらに、前記ポケット部９がティッシュ箱１３を収容する形状であると共に、ティッシュ抜き取り用切れ目１４を形成しており、食事の際や手が汚れた際、鼻をかむ際などにすぐ枕元からティッシュを抜き取ることができ非常に使い勝手がよい。
【００４７】
このリクライニング・ベッド用枕保持材１はこの実施形態のようにリクライニング・ベッド２の全体を被うシーツのようにしてもよく、実施形態４のように特にベッド２の寝台面の頭部に対応する上方領域のみを被うようにしてもよい。
【００４８】
（実施形態４）
次に、実施形態４のリクライニング・ベッド用枕保持材を説明する。
【００４９】
図１０乃至図１２に示すように、この実施形態のリクライニング・ベッド用枕保持材１は、特にベッド２の寝台面の頭部と背中に対応する上方領域のみを被うように形成している。そして、この枕保持材１の下面に全体を覆う他の薄地のシーツ１２を敷設している。
【００５０】
この枕保持材１は、リクライニング・ベッド２の全体を被うシーツ大のものよりも剥がしたりずらしたりする作業性が格段に高く、枕３を枕収容部４に保持して更にその位置決めを行う際の上下・左右方向の調整を容易に行うことができる。また、リクライニング・ベッド２の全体を被う大きさの場合と比較してサイズ・嵩低さなどの面からその洗濯や取替え、交換を容易に行うことができ、その回数を増やすことができ、衛生面等においても好ましいものとなる。すなわち、頭部に相当する領域は、頭髪の汚れや食べ物をこぼしたもの・鼻水などが付着することが多く、また本や新聞を読んだ時の手垢などで汚れやすいのである。
【００５１】
（実施形態５）
次に、実施形態４のリクライニング・ベッド用枕保持材を説明する。
【００５２】
図１３に示すように、この実施形態のリクライニング・ベッド用枕保持材１は、リクライニング・ベッド  （寝台面が起伏して上半身が起き上がることができるもの）の上端縁に係脱自在の係止部Ｘを有する。この係止部Ｘは、ベッドの左右の上端縁に引っ掛ける三角ポケット状としている。
【００５３】
そしてその枕収容部４は、枕（図示せず）を横方向から挿脱するようにしている。また、その両側のポケット部９はティッシュ箱（図示せず）を収容する形状としていると共に、ティッシュ抜き取り用切れ目１４を形成している。
【００５４】
（実施形態６）
次に、実施形態６のリクライニング・ベッド用枕保持材を説明する。
【００５５】
図１４に示すように、この枕収容部４は、その上方端が本体生地１５に縫着された帯状生地１６に枕３を巻き込んで保持するようにしている。このように枕収容部４を帯状生地１６の本体生地１５への縫着により構成すると簡易な構造とすることができるので、繰り返しの洗濯にも強く耐久性に優れコストを安価とすることができるという利点がある。
【００５６】
また、前記帯状生地１６に枕３を載置してその開放端側を紐部１７によりベッド２のパイプ部１８を利用して固定するようにしている。すなわち帯状生地１６の開放端には２本の紐部１７を縫着している。これら紐部１７のパイプ部１８への調整の仕方により、使用者の身長等に合わせて枕３の位置（高さ）を適宜調節することができるという利点がある。
【００５７】
（実施形態７）
次に、実施形態７のリクライニング・ベッド用枕保持材を説明する。
【００５８】
図１５に示すように、この帯状生地１６の両端部を本体生地１５に縫着して枕収容部４を形成している。このリクライニング・ベッド用枕保持材１によると、枕３の大きさ等が決まっている場合はそれに合わせた寸法で予め縫製することができ、枕３の収容作業の際も位置（高さ）などの調整が簡便となる。
【００５９】
（実施形態８）
次に、実施形態８のリクライニング・ベッド用枕保持材を説明する。
【００６０】
図１６に示すように、この帯状生地１６の上方端を本体生地１５に縫着し枕３の上側から前記帯状生地１６で巻き込んで保持するようにしており、簡易な形状としながらも枕３を摩擦により保持することができる。なお、このリクライニング・ベッド用枕保持材１は、実施形態６のような開放端側に紐部１７を有するもの（図１４参照）を流用することもでき、この場合はその紐部１７は使用しないこととなる。
【００６１】
【発明の効果】
この発明は上述のような構成であり、次の効果を有する。
【００６２】
上半身が起き上がるようにベッドをリクライニングして傾斜させると通常であれば枕は下方にずれ落ちようとするが、このリクライニング・ベッド用枕保持材はリクライニング・ベッドの上端縁に係脱自在の係止部を有すると共に枕を挿脱自在に保持する枕収容部を有する構成としており、枕を挿脱自在に保持する枕収容部によって枕の下方への変位を防止することができるので、上半身を起こす際にも枕が滑り落ち難いリクライニング・ベッド用のシーツを提供することができる。
【図面の簡単な説明】
【図１】この発明のリクライニング・ベッド用枕保持材の実施形態１を説明する正面図。
【図２】図１のリクライニング・ベッド用枕保持材の使用状態を説明する全体斜視図。
【図３】図２のリクライニング・ベッド用枕保持材の要部断面図。
【図４】この発明のリクライニング・ベッド用枕保持材の実施形態２を説明する正面図。
【図５】図４のリクライニング・ベッド用枕保持材の使用状態を説明する要部拡大斜視図。
【図６】この発明のリクライニング・ベッド用枕保持材の実施形態３を説明する正面図。
【図７】図６のリクライニング・ベッド用枕保持材の使用状態を説明する全体斜視図。
【図８】図６のリクライニング・ベッド用枕保持材の使用状態を説明する側面図。
【図９】図６のリクライニング・ベッド用枕保持材の要部背面図。
【図１０】この発明のリクライニング・ベッド用枕保持材の実施形態４を説明する正面図。
【図１１】図１０のリクライニング・ベッド用枕保持材の使用状態を説明する全体斜視図。
【図１２】図１０のリクライニング・ベッド用枕保持材の使用状態を説明する側面図。
【図１３】この発明のリクライニング・ベッド用枕保持材の実施形態５を説明する斜視図。
【図１４】この発明のリクライニング・ベッド用枕保持材の実施形態６の使用状態を説明する斜視図。
【図１５】この発明のリクライニング・ベッド用枕保持材の実施形態７を説明する斜視図。
【図１６】この発明のリクライニング・ベッド用枕保持材の実施形態８を説明する斜視図。
【符号の説明】
１  リクライニング・ベッド用枕保持材
２  リクライニング・ベッド
３  枕
４  枕収容部
８  小物類
９  ポケット部
１３  ティッシュ箱
１４  ティッシュ抜き取り用切れ目
１５  本体生地
１６  帯状生地
Ｘ  係止部
【図１】
2004209207.tif 000003
【図２】
2004209207.tif 000004
【図３】
2004209207.tif 000005
【図４】
2004209207.tif 000006
【図５】
2004209207.tif 000007
【図６】
2004209207.tif 000008
【図７】
2004209207.tif 000009
【図８】
2004209207.tif 000010
【図９】
2004209207.tif 000011
【図１０】
2004209207.tif 000012
【図１１】
2004209207.tif 000013
【図１２】
2004209207.tif 000014
【図１３】
2004209207.tif 000015
【図１４】
2004209207.tif 000016
【図１５】
2004209207.tif 000017
【図１６】
2004209207.tif 000018